(57)【要約】チャネル品質表示（ＣＱＩ）情報を決定しレポートするための技術が説明される。ユーザ装置（ＵＥ）は、利用可能な送信電力及びチャネライゼーションコードの指定数に基づいて、例えば、前記利用可能な送信電力を、すべてのトランスポートブロック及び前記指定数のチャネライゼーションコードの全部又は一部にわたって、均一に分配することによって、前記チャネライゼーションコードあたりの送信電力ＰＯＶＳＦを決定する。ＵＥは、ＰＯＶＳＦに基づいて、複数のトランスポートブロックのＳＩＮＲを推定し、該ＳＩＮＲに基づいて、該トランスポートブロックのためのＣＱＩインデックスを決定し、そして、該ＣＱＩインデックスをＮｏｄｅ Ｂへ送信するようにしても良い。Ｎｏｄｅ Ｂは、前記ＣＱＩインデックスに基づいて、複数のトランスポートブロックを、前記ＵＥへ送信しても良い。Ｎｏｄｅ Ｂは、前記トランスポートブロックを、(i)ＰＯＶＳＦにて、前記指定数のチャネライゼーションコードで、又は、(ii)ＰＯＶＳＦにて、第２の数のチャネライゼーションコードで（トランスポートブロックサイズは、前記チャネライゼーションコードの指定数及び第２の数に基づいて基準化される。）、送信しても良い。
2010516198.tif 000002
【特許請求の範囲】
【請求項１】
チャネライゼーションコードの指定数に基づいて、チャネライゼーションコードあたりの送信電力を決定し、該チャネライゼーションコードあたりの送信電力に基づいて、複数のトランスポートブロックのための複数のチャネル品質表示（ＣＱＩ）インデックスを決定し、該複数のＣＱＩインデックスをＮｏｄｅ Ｂへ送信するように構成された少なくとも一つのプロセッサと、
前記少なくとも一つのプロセッサに接続されたメモリとを含むことを特徴とする無線通信のための装置。
【請求項２】
前記少なくとも一つのプロセッサは、前記チャネライゼーションコードの指定数を表示するシグナリングを受信するように構成されたことを特徴とする請求項１に記載の装置。
【請求項３】
前記チャネライゼーションコードの指定数は、前記複数のトランスポートブロックを送信するために利用可能なチャネライゼーションコードの最大数であることを特徴とする請求項１に記載の装置。
【請求項４】
前記指定数のチャネライゼーションコードは、複数のトランスポートブロックを送信するために利用可能な一定数のチャネライゼーションコードであり、且つ、知られたものであることを特徴とする請求項１に記載の装置。
【請求項５】
前記少なくとも一つのプロセッサは、利用可能な送信電力を表示するシグナリングを受信し、該利用可能な送信電力に更に基づいて、前記チャネライゼーションコードあたりの送信電力を決定するように構成されたことを特徴とする請求項１に記載の装置。
【請求項６】
前記少なくとも一つのプロセッサは、前記利用可能な送信電力を、前記複数のトランスポートブロックにわたって且つ前記指定数のチャネライゼーションコードにわたって、均一に分配することによって、前記チャネライゼーションコードあたりの送信電力を決定することを特徴とする請求項５に記載の装置。
【請求項７】
前記利用可能な送信電力は、前記チャネライゼーションコードあたりの送信電力を決定するのに用いられる仮定の値であり、かつ、データ伝送のための実際の送信電力とは潜在的に異なるものであることを特徴とする請求項５に記載の装置。
【請求項８】
前記少なくとも一つのプロセッサは、前記チャネライゼーションコードあたりの送信電力に基づいて、前記複数のトランスポートブロックの信号対干渉雑音比（ＳＩＮＲ）を推定し、及び、前記ＳＩＮＲに基づいて、前記複数のトランスポートブロックのための前記複数のＣＱＩインデックスを決定するように構成されたことを特徴とする請求項１に記載の装置。
【請求項９】
前記少なくとも一つのプロセッサは、前記指定数のチャネライゼーションコードのためのＣＱＩマッピングテーブルに基づいて、前記複数のトランスポートブロックのための前記複数のＣＱＩインデックスを決定するように構成されたことを特徴とする請求項１に記載の装置。
【請求項１０】
前記ＣＱＩマッピングテーブルは、異なる指定数のチャネライゼーションコードのための複数のＣＱＩマッピングテーブルのうちの一つであることを特徴とする請求項９に記載の装置。
【請求項１１】
前記ＣＱＩマッピングテーブルは、トランスポートブロックパラメータの、前記指定数のチャネライゼーションコードのためのＣＱＩレベルへの、異なるマッピングのための、複数のＣＱＩマッピングテーブルのうちの一つであることを特徴とする請求項９に記載の装置。
【請求項１２】
前記少なくとも一つのプロセッサは、前記Ｎｏｄｅ Ｂから前記複数のトランスポートブロックを受信するように構成され、
前記トランスポートブロックは、前記チャネライゼーションコードあたりの送信電力又はより高い送信電力で、前記Ｎｏｄｅ Ｂから送信されたものであることを特徴とする請求項１に記載の装置。
【請求項１３】
前記少なくとも一つのプロセッサは、前記指定数のチャネライゼーションコードを通して、前記複数のトランスポートブロックを受信することを特徴とする請求項１に記載の装置。
【請求項１４】
前記少なくとも一つのプロセッサは、前記Ｎｏｄｅ Ｂから、第２の数のチャネライゼーションコードを通して、前記複数のトランスポートブロックを受信するように構成され、
前記トランスポートブロックは、前記チャネライゼーションコードの指定数及び前記チャネライゼーションコードの第２の数に基づいて基準化されたサイズを有することを特徴とする請求項１に記載の装置。
【請求項１５】
チャネライゼーションコードの指定数に基づいて、チャネライゼーションコードあたりの送信電力を決定することと、
前記チャネライゼーションコードあたりの送信電力に基づいて、複数のトランスポートブロックのための複数のチャネル品質表示（ＣＱＩ）インデックスを決定することと、
前記複数のＣＱＩインデックスをＮｏｄｅ Ｂへ送信することとを含むことを特徴とする無線通信のための方法。
【請求項１６】
前記チャネライゼーションコードあたりの送信電力を前記決定することは、
利用可能な送信電力を表示するシグナリングを受信することと、
前記利用可能な送信電力を、前記複数のトランスポートブロックにわたって且つ前記指定数のチャネライゼーションコードにわたって、均一に分配することによって、前記チャネライゼーションコードあたりの送信電力を決定することを含むことを特徴とする請求項１５に記載の方法。
【請求項１７】
前記複数のＣＱＩインデックスを前記決定することは、
前記チャネライゼーションコードあたりの送信電力に基づいて、前記複数のトランスポートブロックの信号対干渉雑音比（ＳＩＮＲ）を推定することと、
前記ＳＩＮＲに基づいて、前記複数のトランスポートブロックのための前記複数のＣＱＩインデックスを決定することを含むことを特徴とする請求項１５に記載の方法。
【請求項１８】
前記Ｎｏｄｅ Ｂから、前記指定数のチャネライゼーションコードを通して、前記複数のトランスポートブロックを受信することを更に含み、
前記トランスポートブロックは、前記チャネライゼーションコードあたりの送信電力又はより高い送信電力で、前記Ｎｏｄｅ Ｂから送信されたものであることを特徴とする請求項１５に記載の方法。
【請求項１９】
前記Ｎｏｄｅ Ｂから、第２の数のチャネライゼーションコードを通して、前記複数のトランスポートブロックを受信することを更に含み、
前記トランスポートブロックは、前記チャネライゼーションコードの指定数及び前記チャネライゼーションコードの第２の数に基づいて基準化されたサイズを有することを特徴とする請求項１５に記載の方法。
【請求項２０】
チャネライゼーションコードの指定数に基づいて、チャネライゼーションコードあたりの送信電力を決定するための手段と、
前記チャネライゼーションコードあたりの送信電力に基づいて、複数のトランスポートブロックのための複数のチャネル品質表示（ＣＱＩ）インデックスを決定するための手段と、
前記複数のＣＱＩインデックスをＮｏｄｅ Ｂへ送信するための手段とを含むことを特徴とする無線通信のための装置。
【請求項２１】
前記チャネライゼーションコードあたりの送信電力を決定するための前記手段は、
利用可能な送信電力を表示するシグナリングを受信するための手段と、
前記利用可能な送信電力を、前記複数のトランスポートブロックにわたって且つ前記指定数のチャネライゼーションコードにわたって、均一に分配することによって、前記チャネライゼーションコードあたりの送信電力を決定するための手段とを含むことを特徴とする請求項２０に記載の装置。
【請求項２２】
前記複数のＣＱＩインデックスを決定するための前記手段は、
前記チャネライゼーションコードあたりの送信電力に基づいて、前記複数のトランスポートブロックの信号対干渉雑音比（ＳＩＮＲ）を推定するための手段と、
前記ＳＩＮＲに基づいて、前記複数のトランスポートブロックのための前記複数のＣＱＩインデックスを決定するための手段とを含むことを特徴とする請求項２０に記載の装置。
【請求項２３】
前記Ｎｏｄｅ Ｂから、前記指定数のチャネライゼーションコードを通して、前記複数のトランスポートブロックを受信するための手段を更に含み、
前記トランスポートブロックは、前記チャネライゼーションコードあたりの送信電力又はより高い送信電力で、前記Ｎｏｄｅ Ｂから送信されたものであることを特徴とする請求項２０に記載の装置。
【請求項２４】
前記Ｎｏｄｅ Ｂから、第２の数のチャネライゼーションコードを通して、前記複数のトランスポートブロックを受信するための手段を更に含み、
前記トランスポートブロックは、前記チャネライゼーションコードの指定数及び前記チャネライゼーションコードの第２の数に基づいて基準化されたサイズを有することを特徴とする請求項２０に記載の装置。
【請求項２５】
コンピュータ読み取り可能な媒体を含むコンピュータプログラムプロダクトにおいて、
前記機械読み取り可能な媒体は、
少なくとも一つのコンピュータに、チャネライゼーションコードの指定数に基づいて、チャネライゼーションコードあたりの送信電力を決定させるためのコードと、
前記少なくとも一つのコンピュータに、前記チャネライゼーションコードあたりの送信電力に基づいて、複数のトランスポートブロックのための複数のチャネル品質表示（ＣＱＩ）インデックスを決定させるためのコードと、
前記少なくとも一つのコンピュータに、前記複数のＣＱＩインデックスをＮｏｄｅ Ｂへ送信させるためのコードとを含むことを特徴とするコンピュータプログラムプロダクト。
【請求項２６】
ユーザ装置（ＵＥ）から、複数のトランスポートブロックのための複数のチャネル品質表示（ＣＱＩ）インデックスを受信し、及び、前記複数のＣＱＩインデックスに基づいて、前記複数のトランスポートブロックを、前記ＵＥへ送信するように構成された少なくとも一つのプロセッサと、
前記少なくとも一つのプロセッサに接続されたメモリとを含み、
前記複数のＣＱＩインデックスは、チャネライゼーションコードあたりの送信電力に基づいて前記ＵＥにより決定されたものであり、前記チャネライゼーションコードあたりの送信電力は、チャネライゼーションコードの指定数に基づいて決定されたものであることを特徴とする無線通信のための装置。
【請求項２７】
前記少なくとも一つのプロセッサは、利用可能な送信電力を表示するシグナリングを送信するように構成され、
前記チャネライゼーションコードあたりの送信電力は、前記利用可能な送信電力に更に基づいて前記ＵＥにより決定されたものであることを特徴とする請求項２６に記載の装置。
【請求項２８】
前記少なくとも一つのプロセッサは、前記チャネライゼーションコードの指定数を表示するシグナリングを送信するように構成されたことを特徴とする請求項２６に記載の装置。
【請求項２９】
前記少なくとも一つのプロセッサは、前記トランスポートブロックを、前記指定数のチャネライゼーションコードで、且つ、前記チャネライゼーションコードあたりの送信電力又はより高い送信電力で、前記ＵＥへ送信するものであることを特徴とする請求項２６に記載の装置。
【請求項３０】
前記少なくとも一つのプロセッサは、前記チャネライゼーションコードの指定数及びチャネライゼーションコードの第２の数に基づいて、前記複数のトランスポートブロックのサイズを基準化し、及び、前記トランスポートブロックを、前記第２のチャネライゼーションコードで、且つ、前記チャネライゼーションコードあたりの送信電力又はより高い送信電力で、前記ＵＥへ送信するように構成されたことを特徴とする請求項２６に記載の装置。
【請求項３１】
前記少なくとも一つのプロセッサは、前記チャネライゼーションコードの指定数及びチャネライゼーションコードの第２の数に基づいて、前記チャネライゼーションコードあたりの送信電力を基準化し、及び、前記トランスポートブロックを、前記第２のチャネライゼーションコードで、且つ、前記チャネライゼーションコードあたりの送信電力で、前記ＵＥへ送信するように構成されたことを特徴とする請求項２７に記載の装置。
【請求項３２】
前記少なくとも一つのプロセッサは、チャネライゼーションコードの共通セットで、前記複数のトランスポートブロックを送信するように構成されたことを特徴とする請求項２６に記載の装置。
【請求項３３】
前記複数のトランスポートブロックは、第１及び第２のトランスポートブロックを含み、
記少なくとも一つのプロセッサは、チャネライゼーションコードのセットで、前記第１のトランスポートブロックを送信し、及び、前記第１のトランスポートブロックに用いられる前記チャネライゼーションコードのセットで、前記第２のトランスポートブロックを送信するように構成されたことを特徴とする請求項２６に記載の装置。
【請求項３４】
ユーザ装置（ＵＥ）から、複数のトランスポートブロックのための複数のチャネル品質表示（ＣＱＩ）インデックスを受信することと、
前記複数のＣＱＩインデックスに基づいて、前記複数のトランスポートブロックを、前記ＵＥへ送信することを含み、
前記複数のＣＱＩインデックスは、チャネライゼーションコードあたりの送信電力に基づいて前記ＵＥにより決定されたものであり、前記チャネライゼーションコードあたりの送信電力は、チャネライゼーションコードの指定数に基づいて決定されたものであることを特徴とする無線通信のための方法。
【請求項３５】
利用可能な送信電力を表示するシグナリングを送信することを更に含み、
前記チャネライゼーションコードあたりの送信電力は、前記利用可能な送信電力に更に基づいて前記ＵＥにより決定されたものであることを特徴とする請求項３４に記載の方法。
【請求項３６】
前記複数のトランスポートブロックを前記送信することは、
前記トランスポートブロックを、前記指定数のチャネライゼーションコードで、且つ、前記チャネライゼーションコードあたりの送信電力又はより高い送信電力で、前記ＵＥへ送信することを含むことを特徴とする請求項３４に記載の方法。
【請求項３７】
前記複数のトランスポートブロックを前記送信することは、
前記チャネライゼーションコードの指定数及びチャネライゼーションコードの第２の数に基づいて、前記複数のトランスポートブロックのサイズを基準化することと、
前記トランスポートブロックを、前記第２のチャネライゼーションコードで、且つ、前記チャネライゼーションコードあたりの送信電力又はより高い送信電力で、前記ＵＥへ送信することを含むことを特徴とする請求項３４に記載の方法。
【請求項３８】
ユーザ装置（ＵＥ）から、複数のトランスポートブロックのための複数のチャネル品質表示（ＣＱＩ）インデックスを受信するための手段と、
前記複数のＣＱＩインデックスに基づいて、前記複数のトランスポートブロックを、前記ＵＥへ送信するための手段とを含み、
前記複数のＣＱＩインデックスは、チャネライゼーションコードあたりの送信電力に基づいて前記ＵＥにより決定されたものであり、前記チャネライゼーションコードあたりの送信電力は、チャネライゼーションコードの指定数に基づいて決定されたものであることを特徴とする無線通信のための装置。
【請求項３９】
利用可能な送信電力を表示するシグナリングを送信するための手段を更に含み、
前記チャネライゼーションコードあたりの送信電力は、前記利用可能な送信電力に更に基づいて前記ＵＥにより決定されたものであることを特徴とする請求項３８に記載の装置。
【請求項４０】
前記複数のトランスポートブロックを前記送信するための手段は、
前記トランスポートブロックを、前記指定数のチャネライゼーションコードで、且つ、前記チャネライゼーションコードあたりの送信電力又はより高い送信電力で、前記ＵＥへ送信するための手段を含むことを特徴とする請求項３８に記載の装置。
【請求項４１】
前記複数のトランスポートブロックを前記送信するための手段は、
前記チャネライゼーションコードの指定数及びチャネライゼーションコードの第２の数に基づいて、前記複数のトランスポートブロックのサイズを基準化するための手段と、
前記トランスポートブロックを、前記第２のチャネライゼーションコードで、且つ、前記チャネライゼーションコードあたりの送信電力又はより高い送信電力で、前記ＵＥへ送信するための手段とを含むことを特徴とする請求項３８に記載の装置。
【発明の詳細な説明】
【技術分野】
【０００１】
（関連出願の相互参照）
本特許出願は、２００７年１月９日付け提出され、本願の譲受人に譲渡され、参照によって明確に本明細書に組み込まれる「CQI REPORTING FOR FDD MIMO」と題された米国仮出願第６０／８８４，２０２号の優先権を主張する。
【０００２】
本開示は、一般に通信に関し、より詳しくは無線通信システムにおいてチャネル品質表示（channel quality indicator）（ＣＱＩ）情報をレポートするための技術に関する。
【背景技術】
【０００３】
無線通信システムにおいて、Ｎｏｄｅ Ｂは、複数の（Ｒ個の）受信アンテナを装備するユーザ装置（ＵＥ）へのデータ送信のために、複数の（Ｔ個の）送信アンテナを使用しても良い。複数の送信及び受信アンテナは、スループットを増加し及び／又は信頼性を向上するために使用されてもよい多重入力多重出力（multiple-input multiple-output）（ＭＩＭＯ）チャネルを形成する。例えば、Ｎｏｄｅ Ｂは、スループットを向上するために、Ｔ個の送信アンテナから、同時に、最大Ｔ個までのデータストリームを送信しても良い。代わりに、Ｎｏｄｅ Ｂは、ＵＥによる受信を向上させるために、Ｔ個すべての送信アンテナから、単一のデータストリームを送信しても良い。各々のデータストリームは、与えられた送信時間間隔（ＴＴＩ）において、データの一つのトランスポートブロックを運んでも良い。それゆえ、用語“データストリーム（data stream）”及び“トランスポートブロック（transport block）”は、互換的に使用できる。
【０００４】
良好なパフォーマンス（例えば、高スループット）は、いぜんとして（still）ＵＥがトランスポートブロックを確実に復号化できるようにする最も高い可能なレートにて、各々のトランスポートブロックを送信することによって、実現されても良い。ＵＥは、送信されるかもしれないトランスポートブロックの各々の可能な組み合わせの信号対干渉雑音比（ＳＩＮＲ）を推定し、そして、トランスポートブロックの最良の組み合わせの推定ＳＩＮＲに基づいて、ＣＱＩ情報を決定しても良い。ＣＱＩ情報は、各々のトランスポートブロックの処理パラメータのセットを運んでも良い。ＵＥは、ＣＱＩ情報をＮｏｄｅ Ｂに送信しても良い。Ｎｏｄｅ Ｂは、ＣＱＩ情報に従って、１又は複数のトランスポートブロックを処理し、また、そのトランスポートブロックをＵＥへ送信しても良い。
【０００５】
データ伝送パフォーマンスは、ＵＥによるＣＱＩ情報の正確な決定及びレポーティングに依存しても良い。それゆえ、ＣＱＩ情報を的確に（accurately）決定し及びレポーティングするための技術が当該技術分野において必要である。
【発明の概要】
【０００６】
ＭＩＭＯ伝送のためのＣＱＩ情報を決定しレポーティングするための技術が本明細書で説明される。一つの態様において、ＵＥは、該ＵＥとＮｏｄｅ Ｂの両方に知られているチャネライゼーションコードあたりの送信電力ＰＯＶＳＦに基づいて、ＣＱＩ情報を決定しても良い。符号分割多重を用いて送信されるＭＩＭＯ伝送について、トランスポートブロックのＳＩＮＲは、ＰＯＶＳＦに依存しても良いが、ＰＯＶＳＦの線形関数でなくても良い。既知のＰＯＶＳＦの使用は、ＳＩＮＲ推定における精度を向上し得る。ＵＥは、(i)Ｎｏｄｅ Ｂからのシグナリングを通して得られてもよい利用可能な送信電力、及び、(ii)既知の値でもよく又はシグナリングを通して得られてもよいチャネライゼーションコードの指定数、に基づいて、ＰＯＶＳＦを決定しても良い。ＵＥは、ＰＯＶＳＦを得るために、複数の（例えば、２個の）トランスポートブロックにわたった、また、指定数のチャネライゼーションコードにわたった、利用可能な送信電力の均一な分配を、仮定してもよい。そして、ＵＥは、ＰＯＶＳＦに基づいて、トランスポートブロックのＳＩＮＲを推定してもよい。ＵＥは、ＳＩＮＲ及び指定数のチャネライゼーションコードのためのＣＱＩマッピングテーブルに基づいて、トランスポートブロックのためのＣＱＩインデクスを決定してもよい。ＵＥは、ＣＱＩインデックスを、ＣＱＩ情報として、Ｎｏｄｅ Ｂへ送信しても良い。
【０００７】
Ｎｏｄｅ Ｂは、ＵＥから受信されたＣＱＩ情報に基づいて、ＭＩＭＯ伝送における複数のトランスポートブロックを、そのＵＥへ送信しても良い。一つのデザインにおいて、Ｎｏｄｅ Ｂは、トランスポートブロックを、ＰＯＶＳＦにて、指定数のチャネライゼーションコードで、送信しても良い。他のデザインにおいて、Ｎｏｄｅ Ｂは、ＰＯＶＳＦにて、第２の数のチャネライゼーションコードで、トランスポートブロックを送信しても良く、また、チャネライゼーションコードの指定数及びチャネライゼーションコードの第２の数に基づいて、そのトランスポートブロックのサイズを基準化しても良い。更に他のデザインにおいて、Ｎｏｄｅ Ｂは、チャネライゼーションコードの指定数及びチャネライゼーションコードの第２の数に基づいて、ＰＯＶＳＦを基準化しても良い。そして、Ｎｏｄｅ Ｂは、基準化されたＰＯＶＳＦにて、第２の数のチャネライゼーションコードで、トランスポートブロックを送信しても良い。
【０００８】
本開示の様々な態様又は特徴が、以下で更に詳しく説明される。
【図面の簡単な説明】
【０００９】
【図１】図１は、無線通信システムを示す。
【図２】図２は、Ｎｏｄｅ Ｂ及びＵＥのブロック図を示す。
【図３】図３は、物理チャネルのセットに関するタイミングチャートを示す。
【図４】図４は、ＣＱＩ情報を決定するためのプロセスを示す。
【図５】図５は、ＣＱＩ情報を送信するためのデザインを示す。
【図６】図６は、ＵＥにより実行されるプロセスを示す。
【図７】図７は、Ｎｏｄｅ Ｂにより実行されるプロセスを示す。
【詳細な説明】
【００１０】
本明細書で説明される技術は、例えば符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、シングルキャリアＦＤＭＡ（ＳＣ−ＦＤＭＡ）システムなどのような、種々の無線通信システムのために使用されても良い。用語“システム（system）”及び“ネットワーク（network）”は、しばしば互換的に使用される。ＣＤＭＡシステムは、例えばユニバーサル地上無線アクセス（Universal Terrestrial Radio Access）（ＵＴＲＡ）、ｃｄｍａ２０００などのような無線技術を実装しても良い。ＵＴＲＡは、ワイドバンドＣＤＭＡ（Ｗ−ＣＤＭＡ）及び他のＣＤＭＡの変形（variants）を含む。ｃｄｍａ２０００は、ＩＳ−２０００、ＩＳ−９５及びＩＳ−８５６標準をカバーする。ＵＴＲＡは、ユニバーサル移動通信システム（Universal Mobile Telecommunication System）（ＵＭＴＳ）の一部であり、両方とも“第３世代パートナーシッププロジェクト”（３ＧＰＰ）という名前の団体からのドキュメントに記載されている。ｃｄｍａ２０００は、“第３世代パートナーシッププロジェクト２”（３ＧＰＰ２）という名前の団体からのドキュメントに記載されている。これら各種の無線技術及び標準は、当該技術分野において知られている。明確にするために、その技術は、以下の説明の大半で使用されるＵＭＴＳ及びＵＭＴＳ技術について、以下で説明される。
【００１１】
図１は、複数のＮｏｄｅ Ｂ１１０及び複数のユーザ装置（ＵＥ）１２０を有する無線通信システム１００を示す。システム１００はまた、ＵＭＴＳにおいて、ユニバーサル地上無線アクセスネットワーク（Universal Terrestrial Radio Access Network）（ＵＴＲＡＮ）と呼ばれる。Ｎｏｄｅ Ｂは、一般に、各ＵＥと通信する固定局であり、また、evolved Ｎｏｄｅ Ｂ（ｅＮｏｄｅ Ｂ）、基地局、アクセスポイント、などとも呼ばれる。各々のＮｏｄｅ Ｂ１１０は、特定の地理的エリアのための通信範囲を提供し、また、そのサービスエリア内に位置する各ＵＥとの通信をサポートする。システムコントローラ１３０は、各Ｎｏｄｅ Ｂ１１０と結合され、また、これらＮｏｄｅ Ｂのための座標及び制御を提供する。システムコントローラ１３０は、単一ネットワークのエンティティー又は一群のネットワークのエンティティーであっても良い。
【００１２】
ＵＥ１２０は、そのシステムの至るところに分散しても良く、また、各々のＵＥは、固定（stationary）のものであっても、移動（mobile）するものであっても良い。ＵＥは、移動局、端末、アクセス端末、加入者ユニット、局、などども呼ばれる。ＵＥは、携帯電話（cellular phone）、携帯情報端末（ＰＤＡ）、無線デバイス、ハンドヘルドデバイス、無線モデム、ラップトップコンピュータ、などであっても良い。
【００１３】
図２は、Ｎｏｄｅ Ｂ１１０及びＵＥ１２０のデザインのブロック図を示す。このデザインにおいて、Ｎｏｄｅ Ｂ１１０は、複数の（Ｔ個の）アンテナ２２０ａ〜２２０ｔが装備されており、また、ＵＥ１２０は、複数の（Ｒ個の）アンテナ２５２ａ〜２５２ｒが装備されている。ＭＩＭＯ伝送は、Ｎｏｄｅ Ｂ１１０におけるＴ個の送信アンテナからＵＥ１２０におけるＲ個の受信アンテナへ送信されても良い。
【００１４】
Ｎｏｄｅ Ｂ１１０において、送信（ＴＸ）データ及びシグナリングプロセッサ２１２は、スケジューリングされたすべてのＵＥについて、データソース（図示せず）からのデータを受け取っても良い。プロセッサ２１２は、各々のＵＥのためのデータを処理（例えば、フォーマット、符号化、インターリーブ、及びシンボルマップ）し、データのための変調シンボルであるデータシンボルを提供しても良い。プロセッサ２１２はまた、シグナリングを処理し、シグナリングのための変調シンボルであるシグナリングシンボルを提供しても良い。空間マッパー２１４は、各々のＵＥのためのそのデータシンボルを、そのＵＥのためのプリコーディングマトリックス又はベクトルに基づいてプリコードし、また、すべてのＵＥについて、出力シンボルを提供しても良い。ＣＤＭＡ変調器（ＭＯＤ）２１６は、出力シンボル及びシグナリングシンボルについてＣＤＭＡ処理を実行しても良く、また、Ｔ個の出力チップストリームをＴ個の送信機（ＴＭＴＲ）２１８ａ〜２１８ｔへ提供しても良い。各々の送信機２１８は、その出力チップストリームを処理（例えば、アナログへの変換、フィルタリング、増幅、及び周波数アップコンバート）し、ダウンリンク信号を提供しても良い。Ｔ個の送信機２１８ａ〜２１８ｔからのＴ個のダウンリンク信号は、それぞれ、Ｔ個のアンテナ２２０ａ〜２２０ｔを通して送信されても良い。
【００１５】
ＵＥ１２０において、Ｒ個のアンテナ２５２ａ〜２５２ｒは、Ｎｏｄｅ Ｂ１１０からそれらダウンリンク信号を受信し、Ｒ個の受信信号をそれぞれＲ個の受信機（ＲＣＶＲ）２５４ａ〜２５４ｒへ提供しても良い。各々の受信機２５４は、その受信信号を処理（例えば、フィルタリング、増幅、周波数ダウンコンバート、及びデジタイズ）し、サンプルをチャネルプロセッサ２６８及びイコライザ／ＣＤＭＡ復調器（ＤＥＭＯＤ）２６０へ提供しても良い。プロセッサ２６８は、フロントエンドフィルタ／イコライザのための係数及び１又は複数の結合マトリックス（combiner matrices）のための係数を得ても良い。ユニット２６０は、フロントエンドフィルタを用いたイコライゼーションとＣＤＭＡ復調とを実行し、フィルタリングされたシンボルを提供しても良い。ＭＩＭＯ検出器２６２は、空間ディメンションにわたってフィルタリングされたシンボルを結合し、ＵＥ１２０へ送信されたデータシンボル及びシグナリングシンボルの推定である検出シンボルを提供しても良い。受信（ＲＸ）データ及びシグナリングプロセッサ２６４は、検出シンボルを処理（例えば、シンボルデマップ、デインターリーブ、及び復号化）し、復号化されたデータ及びシグナリングを提供しても良い。一般に、イコライザ／ＣＤＭＡ復調器２６０、ＭＩＭＯ検出器２６２、及びＲＸデータ及びシグナリングプロセッサ２６４による処理は、それぞれ、Ｎｏｄｅ Ｂ１１０におけるＣＤＭＡ変調器２１６、空間マッパー２１４、及びＴＸデータ及びシグナリングプロセッサ２１２による処理に対して相補的である。
【００１６】
チャネルプロセッサ２６８は、Ｎｏｄｅ Ｂ１１０からＵＥ１２０への無線チャネルの応答を推定しても良い。プロセッサ２６８及び／又は２７０は、プリコーディング制御インディケータ（ＰＣＩ）情報及びＣＱＩ情報を含み得るフィードバック情報を得るために、チャネル推定を処理しても良い。ＰＣＩ情報は、並行して送信されるトランスポートブロックの数及びトランスポートブロックをプリコーディングするのに用いられる特定のプリコーディングマトリックス又はベクトルを運んでも良い。トランスポートブロックは、パケット、データブロック、などとも呼ばれる。ＣＱＩ情報は、各々のトランスポートブロックのための処理パラメータ（例えば、トランスポートブロックサイズ及び変調スキーム）を運んでも良い。プロセッサ２６８及び／又は２７０は、データ伝送に使用できる異なる可能なプリコーディングマトリックス及びベクトルを評価し、最良のパフォーマンス、例えば、最高の全体的なスループットを提供できるプリコーディングマトリックス又はベクトルを選択しても良い。プロセッサ２６８及び／又は２７０はまた、選択されたプリコーディングマトリックス又はベクトルのためのＣＱＩ情報を決定しても良い。
【００１７】
アップリンク上を送信されるフィードバック情報及びデータは、ＴＸデータ及びシグナリングプロセッサ２８０により処理され、さらに、ＣＤＭＡ変調器２８２により処理され、また、Ｒ個のアップリンク信号を生成するために、送信機２５４ａ〜２５４ｒにより調整されても良い。Ｒ個のアップリンク信号は、それぞれ、アンテナ２５２ａ〜２５２ｒを通して送信されても良い。ＵＥ１２０における送信アンテナの数は、受信アンテナの数に等しくても良いし、あるいは、等しくなくても良い。例えば、ＵＥ１２０は、二つのアンテナを用いてデータを受信しても良いが、唯一のアンテナを用いてフィードバック情報を送信しても良い。Ｎｏｄｅ Ｂ１１０において、ＵＥ１２０からのアップリンク信号は、アンテナ２２０ａ〜２２０ｔにより受信され、受信機２１８ａ〜２１８ｔにより調整され、イコライザ／ＣＤＭＡ復調器２４０により処理され、ＭＩＭＯ検出器２４２により検出され、そして、ＵＥ１２０により送信されるフィードバック情報及びデータを受信するために、ＲＸデータ及びシグナリングプロセッサ２４４により処理されても良い。Ｎｏｄｅ Ｂ１１０における受信アンテナの数は、受信アンテナの数に等しくても良いし、あるいは、等しくなくても良い。
【００１８】
コントローラ／プロセッサ２３０及び２７０は、それぞれ、Ｎｏｄｅ Ｂ１１０及びＵＥ１２０における処理を指示しても良い。メモリ２３２及び２７２は、それぞれ、Ｎｏｄｅ Ｂ１１０及びＵＥ１２０のためのプログラムコード及びデータを記憶しても良い。スケジューラ２３４は、ダウンリンク及び／又はアップリンクのために、諸ＵＥを、例えばそれらＵＥから受信されたフィードバック情報に基づいて、スケジューリングしても良い。
【００１９】
ＵＭＴＳにおいて、ＵＥのためのデータは、上位レイヤにおける１又は複数のトランスポートチャネルとして処理されても良い。トランスポートチャネルは、例えばボイス、ビデオ、パケットデータなどのような、１又は複数のサービスのためのデータを運んでも良い。トランスポートチャネルは、物理レイヤにおける物理チャネルにマッピングされても良い。物理チャネルは、異なるチャネライゼーションコードでチャネライズされても良く、それゆえ、符号ドメインにおいて互いに直交していても良い。ＵＭＴＳは、物理チャネルのためのチャネライゼーションコードとして、直交可変拡散率（orthogonal variable spreading factor）（ＯＶＳＦ）符号を用いる。
【００２０】
３ＧＰＰのリリース５以降のものは、ダウンリンク上の高速パケットデータ伝送を可能にするチャネル及びプロシージャーのセットである、高速ダウンリンクパケットアクセス（High-Speed Downlink Packet Access）（ＨＳＤＰＡ）をサポートする。ＨＳＤＰＡに関して、Ｎｏｄｅ Ｂは、高速ダウンリンク共有チャネル（High Speed Downlink Shared Channel）（ＨＳ−ＤＳＣＨ）上にデータを送信しても良い。それは、時間及び符号の両方においてすべてのＵＥでシェアされるダウンリンクトランスポートチャネルである。ＨＳ−ＤＳＣＨは、各々のＴＴＩにおいて、１又は複数のＵＥのためのデータを運んでも良い。ＵＭＴＳに関して、１０ミリ秒（ｍｓ）の無線フレームは、５個の２ｍｓのサブフレームに分割される。各々のサブフレームは、３つのスロットを含み、各々のスロットは、０．６６７ｍｓの継続時間を有する。ＴＴＩは、ＨＳＤＰＡのための一つのサブフレームに等しく、また、ＵＥがスケジューリング及びサービスされるところの最小の単位時間である。ＨＳ−ＤＳＣＨのシェアリングは、ＴＴＩからＴＴＩへ動的に変化しても良い。
【００２１】
表２は、ＨＳＤＰＡのために使用される幾つかのダウンリンク及びアップリンク物理チャネルをリストアップし、また、各々の物理チャネルのための短い説明を提供する。
【表１】
2010516198.tif 000003
【００２２】
図３は、ＨＳＤＰＡに用いられる物理チャネルに関するタイミングチャートを示す。ＨＳＤＰＡに関して、Ｎｏｄｅ Ｂは、各々のＴＴＩにおいて、１又は複数のＵＥのために動作しても良い。Ｎｏｄｅ Ｂは、ＨＳ−ＳＣＣＨ上に、各々のスケジューリングされたＵＥのためのシグナリングを送信しても良く、また、ＨＳ−ＰＤＳＣＨ上の２スロット後で、データを送信しても良い。Ｎｏｄｅ Ｂは、ＨＳ−ＳＣＣＨのために、設定可能な個数の１２８チップＯＶＳＦ符号を用いても良く、また、ＨＳ−ＰＤＳＣＨのために、最大１５個までの１６チップＯＶＳＦ符号を用いても良い。ＨＳＤＰＡは、最大１５個までの１６チップＯＶＳＦ符号を用いる単一のＨＳ−ＰＤＳＣＨ及び設定可能な個数の１２８チップＯＶＳＦ符号を用いる単一のＨＳ−ＳＣＣＨを有するものとして考えられても良い。同等に、ＨＳＤＰＡは、それぞれが単一の１６チップＯＶＳＦ符号を有する最大１５個までのＨＳ−ＰＤＳＣＨ及びそれぞれが単一の１２８チップＯＶＳＦ符号を有する設定可能な個数のＨＳ−ＳＣＣＨを有するものとして考えられても良い。次の説明は、単独のＨＳ−ＰＤＳＣＨ及び単独のＨＳ−ＳＣＣＨの用語を用いる。
【００２３】
ＨＳ−ＰＤＳＣＨ上でデータを受信してもよい各々のＵＥは、シグナリングがそのＵＥのために送信されたかどうかを決定するために、各々のＴＴＩにおいて、ＨＳ−ＳＣＣＨのための最大４個までの１２８チップＯＶＳＦ符号を処理しても良い。与えられたＴＴＩにおいてスケジューリングされた各々のＵＥは、そのＵＥへ送信されたデータを回復するために、そのＨＳ−ＰＤＳＣＨを処理しても良い。トランスポートブロックが正確に復号化された場合には、各々のスケジューリングされたＵＥは、ＨＳ−ＤＰＣＣＨ上に肯定応答（ＡＣＫ）を送信し、そうでない場合には、否定応答（ＮＡＣＫ）を送信しても良い。各々のＵＥはまた、ＨＳ−ＤＰＣＣＨ上のＰＣＩ及びＣＱＩ情報をＮｏｄｅ Ｂへ送信しても良い。
【００２４】
図３はまた、ＵＥにおけるＨＳ−ＳＣＣＨ、ＨＳ−ＰＤＳＣＨ、及びＨＳ−ＤＰＣＣＨの間のタイミングオフセットを示す。ＨＳ−ＰＤＳＣＨは、ＨＳ−ＳＣＣＨの２スロット（slots）後に開始する。ＨＳ−ＤＰＣＣＨは、ＨＳ−ＰＤＳＣＨ上の対応する伝送の終端からおよそ７．５スロットに開始する。
【００２５】
ＵＥは、Ｎｏｄｅ Ｂがデータを処理しＵＥへ送信できるようにするために、ＣＱＩ情報を送信しても良い。一般に、ＣＱＩ情報は、任意の数のトランスポートブロック又はデータストリームについて送信されても良い。明確にするために、以下の説明の多くは、１つ又は２つのトランスポートブロックが、与えられたＴＴＩにおいて送信され、また、ＣＱＩ情報が、１つ又は２つのトランスポートブロックに対して送信されることを、仮定する。ＣＱＩ情報は、次の特徴を有するものとする:  
・各々のトランスポートブロックについて、ＣＱＩインデックスのレポーティングを可能にさせる、  
・各々のトランスポートブロックについて、ＣＱＩインデックスのために十分な数のレベルを提供する、また、  
・１又は２のトランスポートブロックについて、柔軟性のあるＣＱＩ情報のレポーティングをサポートする。
【００２６】
Ｎｏｄｅ Ｂは、複数の可能なプリコーディングマトリックスのうちの一つを用いて、ＵＥへ二つのトランスポートブロックを送信しても良いし、あるいは、複数の可能なプリコーディングマトリックスのうちの一つの列／ベクトルを用いて、一つのトランスポートブロックを送信しても良い。ＵＥは、そのＵＥへのデータ伝送のためにＮｏｄｅ Ｂにより利用可能な異なる可能なプリコーディングマトリックス及びベクトルに対するデータパフォーマンスを、評価しても良い。各々のプリコーディングマトリックス又はベクトルに関して、ＵＥは、各々のトランスポートブロックの品質を推定しても良い。それは、任意の適切なメトリック（metric）により与えられても良い。明確にするために、次の説明は、各々のトランスポートブロックの品質は、加法性ホワイトガウスノイズ（additive white Gaussian noise）（ＡＷＧＮ）チャネルのために、等価なＳＩＮＲにより与えられると、仮定する。それは、以下の説明では、単にＳＩＮＲと呼ばれる。ＵＥは、すべてのトランスポートブロックのＳＩＮＲに基づいて、各々のプリコーディングマトリックス又はベクトルに対するデータパフォーマンス（例えば、全体的なスループット）を決定しても良い。すべての可能なプリコーディングマトリックス及びベクトルの評価の後に、ＵＥは、最良のデータパフォーマンスを与えるプリコーディングマトリックス又はベクトルを選択しても良い。
【００２７】
可能なプリコーディングマトリックスに関して、ＵＥは、そのプリコーディングマトリックスに並行して送信される二つのトランスポートブロックのＳＩＮＲを推定しても良い。より高いＳＩＮＲを有するトランスポートブロックは、第１の（primary）トランスポートブロックと呼ばれても良く、また、より低いＳＩＮＲを有するトランスポートブロックは、第２の（secondary）トランスポートブロックと呼ばれても良い。各々のトランスポートブロックのＳＩＮＲは、例えば、(i)ＨＳ−ＰＤＳＣＨ上のデータ伝送に利用可能な送信電力、(ii)データ伝送に利用可能なＯＶＳＦ符号の数、(iii)チャンネル利得及ノイズ分散により与えられる、チャネル条件、(iv)ＵＥにより実行される受信処理のタイプ、(v)ＵＥにより連続干渉除去（successive interference cancellation）（ＳＩＣ）が実行される場合における、トランスポートブロックが回復される次数、及び(vi)可能な他の要因、のようなさまざまな要因に依存しても良い。
【００２８】
トランスポートブロックｉのＳＩＮＲ，ＳＩＮＲｉは、  
ＳＩＮＲｉ＝Ｆ（ＰＯＶＳＦ，Ｘｉ）                              方程式（１）  
として与えられても良い。  
ここで、ＰＯＶＳＦは、ＨＳ−ＰＤＳＣＨのためのＯＶＳＦ符号あたりの送信電力であり、  
Ｘｉは、ＳＩＮＲに影響を与える全ての他のパラメータを含み、また、  
Ｆ( )は、ＵＥに適用されるＳＩＮＲ関数である。
【００２９】
ＳＩＮＲ関数は、ＵＥでの受信処理に依存しても良く、また、ＰＯＶＳＦの線形関数でなくても良い。それゆえ、もし、ＰＯＶＳＦがＧデシベル（ｄＢ）増加する場合に、ＳＩＮＲでの改善の量が、単にＰＯＶＳＦでのＧデシベル増加に基づいて正確にわからなくても良い。このＰＯＶＳＦとＳＩＮＲとの間の非線形関係は、同じＯＶＳＦ符号を利用する２つのトランスポートブロック間の干渉である、コード再利用干渉（code-reuse interference）に起因することがある。さらに、ＳＩＮＲ関数は、Ｎｏｄｅ Ｂにおいて知られていなくても良い。
【００３０】
一つの態様において、ＵＥは、ＵＥとＮｏｄｅ Ｂの両方に知られている、ＯＶＳＦ符号あたりの送信電力に基づいて、ＳＩＮＲを推定しても良い。一つのデザインにおいて、その知られているＰＯＶＳＦは、(i)ＨＳ−ＰＤＳＣＨ上のデータ伝送に利用可能な送信電力ＰＨＳＰＤＳＣＨ、(ii)ＨＳ−ＰＤＳＣＨのためのＯＶＳＦ符号の指定数Ｍ、及び(iii)各々のトランスポートブロックのためのＭ個のＯＶＳＦにわたる利用可能な送信電力の均一な分配、の知識又は前提に基づいて決定されても良い。
【００３１】
ＨＳ−ＰＤＳＣＨのための利用可能な送信電力ＰＨＳＰＤＳＣＨは、上位レイヤのシグナリングにより、及び／又は、他の何らかのメカニズムにより、例えば、定期的に又は変化があるごとに、提供されても良い。一つのデザインにおいて、利用可能な送信電力ＰＨＳＰＤＳＣＨは、次の  
ＰＨＳＰＤＳＣＨ＝ＰＣＰＩＣＨ＋Γ  （ｄＢ換算）      方程式（２）  
として決定されても良い。  
ここで、ＰＣＰＩＣＨ は、共通パイロットチャネル（Common Pilot Channel）（ＣＰＩＣＨ）の送信電力であり、また、Γは、上位レイヤによりシグナルされても良い電力オフセットである。
【００３２】
一つのデザインにおいて、利用可能な送信電力は、二つのトランスポートブロックに均一に分配されても良く、また、ＰＯＶＳＦは、両方のトランスポートブロックについて同一でも良い。他のデザインでは、利用可能な送信電力の特定のパーセントが第１の（primary）トランスポートブロックに分配され、残りの送信電力が第２の（secondary）トランスポートブロックに分配され、ＰＯＶＳＦが２つのトランスポートブロックについて異なっても良い。
【００３３】
一つのデザインにおいて、ＰＯＶＳＦの計算において用いられる、ＯＶＳＦ符号の指定数Ｍは、上位レイヤのシグナリングにより、及び／又は、他の何らかのメカニズムにより、例えば、定期的に又は変化があるごとに、提供されても良い。他のデザインにおいて、Ｍは、ＨＳ−ＰＤＳＣＨのためのＯＶＳＦ符号の最大数（すなわち、Ｍ＝１５）に等しい、あるいは、他の何らかの規定の値に等しい、と仮定されても良い。いずれの場合においても、ＰＯＶＳＦは、利用可能な送信電力をＭ個のＯＶＳＦ符号にわたって均一に分配することによって、次の  
ＰＯＶＳＦ＝ＰＨＳＰＤＳＣＨ−１０・log１０（２・Ｍ）  （デシベル換算）  方程式（３）  
として、与えられても良い。  
方程式（３）において、デシベル換算の減算は、線形単位での除算に相当する。log10の項の中の２という因数は、ＰＨＳＰＤＳＣＨが２つのトランスポートブロック間に均一に分配されることを、仮定している。
【００３４】
ＵＥは、各々のトランスポートブロックのＳＩＮＲを、そのトランスポートブロックに対するＰＯＶＳＦに基づいて、推定しても良い。そして、ＵＥは、ＣＱＩマッピングテーブルに基づいて、各々のトランスポートブロックのＳＩＮＲを、ＣＱＩインデックスへマッピングしても良い。ＣＱＩマッピングテーブルは、ＣＱＩインデックステーブルとも呼ばれる。ＣＱＩマッピングテーブルは、Ｌ個の可能なＣＱＩレベルのためのＬ個のエントリーを有しても良い。ここで、Ｌは、任意の適切な値でも良い。各々のＣＱＩレベルは、要求されるＳＩＮＲだけでなく、トランスポートブロックのためのパラメータのセットにも関係しても良い。Ｌ個のＣＱＩレベルは、要求されるＳＩＮＲの増加に関係しても良い。各々のトランスポートブロックに関して、ＵＥは、そのトランスポートブロックの推定されたＳＩＮＲに比較してより低い要求ＳＩＮＲを有する、最も高いＣＱＩレベルを選択しても良い。各々のトランスポートブロックのＣＱＩインデックスは、Ｌ個の可能なＣＱＩレベルのうちの一つを指示するであろう。
【００３５】
図４は、複数の（例えば、２個の）トランスポートブロックのためのＣＱＩインデックスを決定するためのプロセス４００を示す。ＯＶＳＦ符号あたりの送信電力ＰＯＶＳＦは、例えば、方程式（３）に示されるように、利用可能な送信電力ＰＨＳＰＤＳＣＨ及びＯＶＳＦの指定数Ｍに基づいて決定される（ブロック４１２）。トランスポートブロックのＳＩＮＲは、ＯＶＳＦ符号あたりの送信電力及び他のパラメータに基づき並びにＳＩＮＲ関数に従って、推定される（ブロック４１４）。トランスポートブロックのＳＩＮＲは、ＣＱＩマッピングテーブルに基づいて、ＣＱＩインデックスにマッピングされる（ブロック４１６）。ＣＱＩインデックスは、Ｎｏｄｅ Ｂへ送信される（ブロック４１８）。ＣＱＩインデックスは、複数のトランスポートブロックをＵＥへ送信するために、Ｎｏｄｅ Ｂに使用される。
【００３６】
ＣＱＩマッピングテーブルは、さまざまな方法で定義されても良い。そのテーブル中のエントリーの数Ｌは、例えば、そのテーブルによりカバーされるべきＳＩＮＲのレンジ、隣接するＣＱＩレベル間の要求される粒度、ＣＱＩ情報に用いられるビットの数、などのような、さまざまな要因に基づいて選択されても良い。一つのデザインにおいて、Ｌ＝１５であり、ＣＱＩマッピングテーブルは、１５個の可能なＣＱＩレベルのための１５個のエントリーを含む。各々のＣＱＩレベルは、トランスポートブロックサイズ及び変調スキームを含むパラメータのセットに関係しても良い。パラメータのセットはまた、例えば符号レートのような他のパラメータを、陰に又は陽に含んでも良い。
【００３７】
一般に、与えられた目標となるブロック誤り率（block error rate）（ＢＬＥＲ）に関して、より高い符号レート及びより高い変調次数が、より高いＳＩＮＲのために利用されても良いし、その逆も同様である（vice versa）。変調スキームのセットは、ＨＳＤＰＡのためにサポートされても良い。より高い次数の変調スキームが、より高いＳＩＮＲのために利用されても良く、また、より低い次数の変調スキームが、より低いＳＩＮＲのために利用されても良い。符号レートのレンジ（例えば、１／３＝０．３３３〜１）はまた、ＨＳＤＰＡのためにサポートされても良い。より高い符号レート（例えば、１の近く）は、より少ない冗長性をもたらし、また、より高いＳＩＮＲのために利用されても良い。反対に、より低い符号レート（例えば、０．３３３）は、より多い冗長性をもたらし、また、より低いＳＩＮＲのために利用されても良い。
【００３８】
表２は、一つの特定のデザインに従うＣＱＩマッピングテーブルを示す。このデザインは、(i)ＨＳ−ＰＤＳＣＨのためのＯＶＳＦ符号の指定数は、Ｍ＝１５であること、(ii)４位相偏移変調（quadrature phase shift keying）（ＱＰＳＫ）及び１６レベルの直交振幅変調（16-level quadrature amplitude modulation）（１６ＱＡＭ）が、ＨＳＤＰＡのために利用されても良いこと、並びに、(iii)符号レートは、０．３３３〜１に変動できること、を仮定している。このＣＱＩマッピングテーブルにおいて、各々のＣＱＩレベルは、特定のトランスポートブロックサイズ及び特定の変調スキームに関係する。そのテーブル中の１５個のＣＱＩレベルは、隣接するＣＱＩレベル間のＳＩＮＲにおける、およそ１．０〜１．５ｄＢのスペーシングに基づいて、定義される。  
【表２】
2010516198.tif 000004
【００３９】
表２の列６に示される、各々の要求されるＳＩＮＲに関して、目標となるＢＬＥＲ以下でのブロック誤り率を維持することができる変調スキーム及び符号レートは、コンピュータシミュレーション、計測などにより決定されても良い。表２に示されるように、最も高い符号レートである０．９１５及び最も高い次数の変調スキームである１６−ＱＡＭは、最も高いＣＱＩレベルである１４に用いられる。符号レートは、各々のより低いＣＱＩレベルについて、ＣＱＩレベル８に対する符号レート０．４３４まで減少する。より低い次数の変調スキームのＱＰＳＫは、次に低いＣＱＩレベル７に用いられ、その結果として生じる符号レートは、０．７３８である。符号レートは、各々のより低いＣＱＩレベルについて、ＣＱＩレベル３に対する符号レート０．３３３まで減少する。
【００４０】
各々のＣＱＩレベルに対するトランスポートブロックサイズは、次のように変調されても良い。ＴＴＩは、７６８０チップにわたる。また、４８０個の変調シンボルは、一つのＴＴＩにおいて、一つの１６チップＯＶＳＦ符号で送信されても良い。合計４８０×１５＝７２００個の変調シンボルは、一つのＴＴＩにおいて、ＨＳ−ＰＤＳＣＨ上を、１５個の１６チップＯＶＳＦ符号で送信されても良い。ＱＰＳＫに関して、二つのコードビットは、各々の変調シンボルにおいて送信されても良く、また、合計１４，４００個のコードビットは、７２００個の変調シンボルにおいて送信されても良い。１６ＱＡＭに関して、４つのコードビットは、各々の変調シンボルにおいて送信されても良く、また、合計２８，８００個のコードビットは、７２００個の変調シンボルにおいて送信されても良い。トランスポートブロックサイズは、符号レートをコードビット倍した数に等しい。
【００４１】
一つのデザインにおいて、最も低い符号レート及び最も低い次数の変調スキームに達した場合、より低いＣＱＩレベルのすべてについて、同一のトランスポートブロックサイズが繰り返される。表２に示される例では、ＣＱＩレベル０，１及び２について、４８３４のトランスポートブロックサイズが繰り返される。ＣＱＩレベル０，１及び２についてＵＥにより実現されるＳＩＮＲは、ＱＰＳＫ及び符号レート０．３３３について要求されるＳＩＮＲに比較して、より低くても良い。ＣＱＩレベル０，１及び２についてＵＥにより実現されるＳＩＮＲと、ＣＱＩレベル３について要求されるＳＩＮＲとの間の予期される相違は、表２の列５により示される。より高いＢＬＥＲは、ＣＱＩレベル０，１及び２について送信されるトランスポートブロックの結果となり得るが、このトランスポートブロックは、エラーで受信されたならば、再送信され得る。他のデザインにおいて、最も低い符号レート及び最も低い次数の変調スキームに達した場合、トランスポートブロックサイズが縮減されても良く、また、信頼性を向上するために、同一のビットが繰り返されても良い。更に他のデザインにおいては、最も低い符号レート及び最も低い次数の変調スキームに達した場合、ＯＶＳＦ符号の数が縮減されても良く、また、対応してトランスポートブロックサイズが縮減されても良い。例えば、３１７２であるトランスポートブロックサイズは、ＣＱＩレベル２のための１０個のＯＶＳＦ符号で送信されても良いし、２２１２であるトランスポートブロックサイズは、ＣＱＩレベル１のための７個のＯＶＳＦ符号で送信されても良いし、また、１２６２であるトランスポートブロックサイズは、ＣＱＩレベル０のための４個のＯＶＳＦ符号で送信されても良い。
【００４２】
一般に、ＣＱＩマッピングテーブルは、任意のレンジのＳＩＮＲと、ＣＱＩレベル間の任意の粒度とをカバーするように、定義されても良い。ＣＱＩマッピングテーブルは、例えば、(i)最も低いＣＱＩレベル０は、最も低い符号レート及び最も低い次数の変調スキームに対応する、(ii)最も高いＣＱＩレベル１４は、最も高い符号レート及び最も高い次数の変調スキームに対応する、及び(iii)そのテーブル中に繰り返されるエントリーは存在しない、というように定義されても良い。ＣＱＩマッピングテーブルは、隣接するＣＱＩレベル間にほとんど等しい差分ＳＩＮＲを有するように定義されても良い。代わりに、ＣＱＩマッピングテーブルはまた、(i)より一般に使用されるサブレンジのために、より小さい差分ＳＩＮＲ又はより細かい粒度、及び、(ii)より少ない頻度で使用されるサブレンジのために、より大きい差分ＳＩＮＲ又はより粗い粒度、を有するように定義されても良い。
【００４３】
表２は、Ｍ＝１５であるケースについてのＣＱＩマッピングテーブルの一つの特定なデザインを示す。ＣＱＩマッピングテーブルはまた、他のＭの値に対して定義されても良い。例えば、ＣＱＩマッピングテーブルは、５，１０，及び／又は何らかの他のＭの値に対して定義されても良い。また、与えられた値Ｍに関して、複数のＣＱＩマッピングテーブルは、異なるレンジのＳＩＮＲ、及び／又は、ＣＱＩ間の異なるに粒度ついて、定義されても良い。複数のＣＱＩマッピングテーブルが使用可能である場合には、例えば、Ｎｏｄｅ Ｂによって、一つのＣＱＩマッピングテーブルが、使用のために選択され、ＵＥへシグナルされても良いし、その逆も同様である（vice versa）。
【００４４】
ＵＥは、使用するために選択されたＣＱＩマッピングテーブルに基づいて、各々のトランスポートブロックのＳＩＮＲを、ＣＱＩインデックスにマッピングしても良い。一つのデザインにおいて、対称のＯＶＳＦ符号の割り当てが使用され、また、２つのトランスポートブロックに、同一の数及び同一のセットのＯＶＳＦ符号が用いられる。このデザインにおいて、ＣＱＩマッピングテーブルは、例えば、同一の数のＯＶＳＦ符号が、すべてのＣＱＩレベルに用いられるように、定義されても良い。他のデザインにおいては、非対称のＯＶＳＦ符号の割り当てが使用され、また、第２の（secondary）トランスポートブロックのためのＯＶＳＦ符号の数は、第１の（primary）トランスポートブロックのためのＯＶＳＦ符号の数とは、相違していても（例えば、より少なくても）良い。このデザインにおいて、ＣＱＩマッピングテーブルは、異なるＣＱＩレベルについて異なる数のＯＶＳＦ符号を、例えば、１又はそれ以上小さいＣＱＩレベルについてより少ないＯＶＳＦ符号を、有しても良い。第２の（secondary）トランスポートブロックは、第１の（primary）トランスポートブロックのために使用されるＯＶＳＦのサブセットで送信されても良い。
【００４５】
もし、プリコーディングマトリックスが選択された場合には、ＵＥは、その選択されたプリコーディングマトリックスで並行して送信されるべき２つのトランスポートブロックのための２つのＣＱＩインデックスを、独立して決定しても良い。もし、プリコーディングベクトルが選択された場合には、ＵＥは、その選択されたプリコーディングベクトルで送信されるべき１つのトランスポートブロックのための１つのＣＱＩインデックスを、決定しても良い。ＵＥは、１つのトランスポートブロックのための１つのＣＱＩインデックスあるいは２つのトランスポートブロックのための２つのＣＱＩインデックスのいずれかを運べる単一のＣＱＩ値を送信しても良い。２つのトランスポートブロックの場合における各々のＣＱＩインデックスのための１５個のＣＱＩレベルの粒度で、合計１５×１５＝２２５個のＣＱＩインデックスの組み合わせが、２つのトランスポートブロックについて可能である。もし、単一のＣＱＩ値のために８ビットが利用される場合には、最大２５６−２２５＝３１までのレベルが、１つのトランスポートブロックのためのＣＱＩインデックスのために利用されても良い。
【００４６】
一つのデザインにおいて、単一のＣＱＩ値は、次のように決定されても良い:  
【数１】
2010516198.tif 000005
【００４７】
ここで、ＣＱＩＳは、１つのトランスポートブロックのための、｛０…３０｝の範囲内のＣＱＩインデックスであり、  
ＣＱＩ１は、第１の（primary）トランスポートブロックのための、｛０…１４｝の範囲内のＣＱＩインデックスであり、  
ＣＱＩ２は、第２の（secondary）トランスポートブロックのための｛０…１４｝の範囲内のＣＱＩインデックスであり、また、  
ＣＱＩは、１つ又は２つのトランスポートブロックのための８ビットＣＱＩ値である。
【００４８】
方程式（４）に示されるデザインにおいて、０〜３０の範囲内のＣＱＩ値は、１つのトランスポートブロックのためのＣＱＩインデックスを運ぶために使用され、また、３１〜２５５の範囲内のＣＱＩ値は、２つのトランスポートブロックのための２つのＣＱＩインデックスを運ぶために使用される。ＵＥはまた、１つ又は２つのトランスポートブロックのための１つのＣＱＩインデックス又は２つのＣＱＩインデックスを、単一のＣＱＩ値へ、他の方法で、マッピングしても良い。コンピュータシミュレーションは、１つ又は２つのトランスポートブロックのための８ビットＣＱＩ値が、十分に正確なＣＱＩ情報及び良好なデータパフォーマンスを提供できることを、指示する。しかしながら、より少ない又はより多いビットがＣＱＩ値に用いられても良い。
【００４９】
図５は、ＨＳ−ＤＰＣＣＨ上でＰＣＩ及びＣＱＩ情報を送信するためのデザインを示す。各々のＴＴＩにおいて、ＡＣＫ／ＮＡＣＫ情報は、ＴＴＩの第１の（first）スロットにおいて送信されても良く、また、ＰＣＩ及びＣＱＩ情報は、ＴＴＩの第２（second）及び第３（third）のスロットにおいて送信されても良い。各々のＴＴＩにおいて、１つのトランスポートブロックに対する１つのＡＣＫ／ＮＡＣＫビット又は２つのトランスポートブロックに対する２つのＡＣＫ／ＮＡＣＫビットは、１０コードビットを得るために、チャネル符号化されても良い。ＡＣＫ／ＮＡＣＫのための１０コードビットは、拡散され、ＴＴＩの第１の（first）スロットへマッピングされても良い。
【００５０】
一つのデザインにおいて、ＰＣＩ／ＣＱＩレポートは、ＰＣＩ情報のための２ビット及びＣＱＩ情報のための８ビットを含んでいる。ＣＱＩ情報は、方程式（４）に示されるように計算された１つの８ビットＣＱＩ値を含んでいても良い。ＰＣＩ／ＣＱＩレポートのための１０ビットは、２０コードビットのコードワードを得るために、（２０，１０）ブロック符号で、チャネル符号化されても良い。（２０，１０）ブロック符号は、修正された（modified）リードミュラー（Reed-Muller）（ＲＭ）符号でも良い。ＰＣＩ／ＣＱＩレポートのための２０コードビットは、拡散され、ＴＴＩの第２（second）及び第３（third）のスロットへマッピングされても良い。
【００５１】
Ｎｏｄｅ Ｂは、ＵＥからＰＣＩ／ＣＱＩレポートを受信し、そして、そのレポートされたＣＱＩ値に基づいて、１つのトランスポートブロック及び１つのトランスポートブロック用のＣＱＩインデックスを選択するか、あるいは、２つのトランスポートブロック及び２つのトランスポートブロック用のＣＱＩインデックスを選択するかを、決定しても良い。Ｎｏｄｅ Ｂは、ＵＥにより希望（preferred）された数のトランスポートブロック又はより少ない数のトランスポートブロックを送信しても良い。例えば、もし、ＵＥが２つのトランスポートブロックを希望した場合には、Ｎｏｄｅ Ｂは、０，１または２個のトランスポートブロックをＵＥへ送信しても良い。
【００５２】
ＵＥは、ＰＯＶＳＦに基づいて、各々のトランスポートブロックのためのＣＱＩインデックスを決定しても良い。ＰＯＶＳＦは、ＯＶＳＦ符号の指定数Ｍに基づいて決定されても良い。Ｎｏｄｅ Ｂは、ＨＳ−ＰＤＳＣＨに利用可能なＫ個のＯＶＳＦ符号を有していても良い。ここで、Ｋは、Ｍに等しくても良いし、あるいは、等しくなくても良い。Ｋ＝Ｍである場合には、Ｎｏｄｅ Ｂは、各々のトランスポートブロックを、ＰＯＶＳＦにおけるＫ個のＯＶＳＦ符号で、ＵＥへ送信しても良い。
【００５３】
Ｋ＜Ｍの場合には、一つのデザインにおいては、Ｎｏｄｅ Ｂは、Ｋ／Ｍの因子（factor）に応じてトランスポートブロックサイズを減らし、そして、より小さいサイズのトランスポートブロックを、ＰＯＶＳＦにおけるＫ個のＯＶＳＦ符号で、ＵＥへ送信しても良い。例えば、Ｋ＝１０であり、Ｍ＝１５であり、且つ、トランスポートブロックサイズＳがＵＥにより選択された場合には、Ｎｏｄｅ Ｂは、サイズ１０・Ｓ／１５のトランスポートブロックを、ＰＯＶＳＦにおける１０個のＯＶＳＦ符号で、ＵＥへ送信しても良い。このデザインは、同一のＰＯＶＳＦが、ＵＥによるＳＩＮＲ推定とＮｏｄｅ Ｂによるデータ送信の両方に用いられるので、送信されたトランスポートブロックのＳＩＮＲが、ＵＥにより推定されたＳＩＮＲにほぼ（closely）一致することを確実にする。他のデザインにおいては、Ｎｏｄｅ Ｂは、Ｎｏｄｅ Ｂは、最大Ｍ／Ｋまでの因子に応じてトランスポートブロックサイズを増やしても良く、また、サイズＳ又はより高いＰＯＶＳＦで、より大きいサイズのトランスポートブロックを、ＵＥへ送信しても良い。Ｎｏｄｅ Ｂは、より高いＰＯＶＳＦで、ＳＩＮＲにおける改善を予測しても良く、また、それに応じて、トランスポートブロックサイズを選択しても良い。
【００５４】
Ｋ＞Ｍの場合には、一つのデザインにおいては、Ｎｏｄｅ Ｂは、Ｋ／Ｍの因子に応じてトランスポートブロックサイズを増やし、そして、より大きいサイズＫ・Ｓ／Ｍのトランスポートブロックを、ＰＯＶＳＦにおけるＫ個のＯＶＳＦ符号で、ＵＥへ送信しても良い。他のデザインにおいては、Ｎｏｄｅ Ｂは、最大Ｍ／Ｋまでの因子に応じてトランスポートブロックサイズを減らしても良く、また、サイズＳ又はより低いＰＯＶＳＦでのより小さいサイズのトランスポートブロックを、ＵＥへ送信しても良い。
【００５５】
図６は、ＵＥ（又は受信機）により実行されるプロセス６００のデザインを示す。利用可能な送信電力を表示するシグナリングは、Ｎｏｄｅ Ｂ（又は送信機）から受信されても良く、あるいは、他の何らかの方法で得られても良い（ブロック６１２）。チャネライゼーションコードあたりの送信電力は、利用可能な送信電力及びチャネライゼーションコードの指定数に基づいて決定されても良い（ブロック６１４）。利用可能な送信電力は、データ伝送のための実際の送信電力でも良い。代わりに、利用可能な送信電力は、チャネライゼーションコードあたりの送信電力を決定するのに用いられる仮定の値（hypothetical value）でも良く、また、実際の送信電力とは潜在的に（potentially）異なっても良い。例えば、Ｎｏｄｅ Ｂは、指定数より小数のチャネライゼーションコード上でのその利用可能な送信電力のすべてを利用しても良いし、また、指定数のチャネライゼーションコードのために利用可能な送信電力は、Ｎｏｄｅ Ｂで実際に利用可能な送信電力より大きい仮定の値でも良い。チャネライゼーションコードは、ＯＶＳＦ符号又は他の何らかのタイプの符号でも良い。チャネライゼーションコードの指定数は、チャネライゼーションコードの最大数（それは、ＨＳＤＰＡでは１５である）、又は、ＵＥとＮｏｄｅ Ｂの両方に知られている、他の何らかの固定された数でも良い。チャネライゼーションコードの指定数はまた、Ｎｏｄｅ Ｂ.からのシグナリングを通して得られても良い。チャネライゼーションコードあたりの送信電力は、利用可能な送信電力を、すべてのトランスポートブロックにわたって且つ指定数のチャネライゼーションコードにわたって、均一に分配することによって、決定されても良い。
【００５６】
ＭＩＭＯ伝送において並行して送信されるべき複数のトランスポートブロックのための複数のＣＱＩインデックスは、チャネライゼーションコードあたりの送信電力に基づいて、決定されても良い（ブロック６１６）。ブロック６１６に関して、複数のトランスポートブロックのＳＩＮＲは、チャネライゼーションコードあたりの送信電力に基づいて、推定されても良い。そして、ＳＩＮＲは、指定数のチャネライゼーションコードのためのＣＱＩマッピングテーブルに基づいて、ＣＱＩインデックスへマッピングされても良い。ＣＱＩマッピングテーブルは、(i)異なる指定数のチャネライゼーションコードのための、及び／又は、(ii)指定数のチャネライゼーションコードのためのＣＱＩレベルに対するトランスポートブロックパラメータの異なるマッピングのための、複数のＣＱＩマッピングテーブルのうちの一つでも良い。
【００５７】
複数のＣＱＩインデックスは、Ｎｏｄｅ Ｂへ送信されても良い（ブロック６１８）。その後、複数のトランスポートブロックは、指定数のチャネライゼーションコードを通して、Ｎｏｄｅ Ｂから受信されても良い（ブロック６２０）。トランスポートブロックは、Ｎｏｄｅ Ｂ．により、チャネライゼーションコードあたりの送信電力で送信されても良い。代わりに、複数のトランスポートブロックは、第２の数のチャネライゼーションコードを通して、受信されても良い。第２の数は、チャネライゼーションコードの指定数に比較して、より多い又はより少なくても良い。トランスポートブロックのサイズ及び／又はチャネライゼーションコードあたりの送信電力は、チャネライゼーションコードの指定数及びチャネライゼーションコードの第２の数に応じて、増加又は減少されても良い。
【００５８】
図７は、Ｎｏｄｅ Ｂ（又は送信機）により実行されるプロセス７００のデザインを示す。利用可能な送信電力を表示するシグナリングは、ＵＥ（又は受信機）へ送信されても良い（ブロック７１２）。チャネライゼーションコードの指定数を表示するシグナリングもまた、ＵＥへ送信されても良い。代わりに、ＵＥは、チャネライゼーションコードの指定数を既に知っていても良い。複数のトランスポートブロックのための複数のＣＱＩインデックスは、ＵＥから受信されても良い（ブロック７１４）。ＣＱＩは、チャネライゼーションコードあたりの送信電力に基づいて、ＵＥにより決定されても良い。チャネライゼーションコードあたりの送信電力は、利用可能な送信電力及びチャネライゼーションコードの指定数に基づいて、決定されても良い。
【００５９】
複数のトランスポートブロックは、複数のＣＱＩインデックスに基づいて、ＵＥへ、ＭＩＭＯ伝送において送信されても良い（ブロック７１６）。一つのデザインにおいて、複数のトランスポートブロックは、指定数のチャネライゼーションコードで且つチャネライゼーションコードあたり送信電力ＰＯＶＳＦで、ＵＥへ送信されても良い。他のデザインにおいて、トランスポートブロックのサイズは、チャネライゼーションコードの指定数及びチャネライゼーションコードの第２の数に応じて、増加又は減少されても良い。そして、トランスポートブロックは、第２の数のチャネライゼーションコードで且つチャネライゼーションコードあたり送信電力ＰＯＶＳＦで、ＵＥへ送信されても良い。さらに他のデザインにおいて、チャネライゼーションコードあたりの送信電力は、チャネライゼーションコードの指定数及びチャネライゼーションコードの第２の数に応じて、増加又は減少されても良い。そして、トランスポートブロックは、第２の数のチャネライゼーションコードで且つ増減されたチャネライゼーションコードあたりの送信電力で、ＵＥへ送信されても良い。
【００６０】
対称の符号の割り当てのために、Ｎｏｄｅ Ｂは、チャネライゼーションコードの共通セットで、各々のトランスポートブロックを送信しても良い。非対称の符号の割り当てのために、Ｎｏｄｅ Ｂは、チャネライゼーションコードのセットで、一つのトランスポートブロック（例えば、第１のトランスポートブロック（a primary transport block））を送信し、また、このチャネライゼーションコードのセットのサブセットで、他のトランスポートブロック（例えば、第２のトランスポートブロック（a secondary transport block））を送信しても良い。
【００６１】
情報及び信号は、いろいろな異なるテクノロジー及びテクニックの任意のものを用いて表現可能であることを、当業者は理解できるであろう。例えば、上記説明の間に参照される、データ、インストラクション、コマンド、情報、信号、ビット、シンボル、及び、チップは、電圧、電流、電磁波、磁場若しくは磁性粒子（magnetic fields or particles）、光場若しくは光学粒子（optical fields or particles）、又はそれらの任意の組み合わせにより表現可能である。
【００６２】
本明細書で開示に関連して説明された、各種の説明する論理ブロック、モジュール、回路、及び、アルゴリズムのステップは、電子回路用ハードウェア、コンピュータソフトウェア、又は、それらの組み合わせとして、実装されても良いことを、当業者はさらに理解できるであろう。このハードウェア及びソフトウェアの互換性をめいりょうに説明するために、各種の説明するコンポーネント、ブロック、モジュール、回路、及びステップが、一般に、それらの機能性の観点で、前述された。当該の機能性は、システム全体に課される特定のアプリケーション及びデザインの制約に応じて、ハードウェア又はソフトウェアとして実装される。当業者は、説明された機能性を、各々のアプリケーションのためのさまざまな方法で実装しても良いが、当該の実装の決定は、本開示の範囲からの逸脱をもたらすものとして説明されるべきではない。
【００６３】
本明細書で開示に関連して説明された各種の説明する論理ブロック、モジュール、及び回路は、汎用プロセッサ、デジタルシグナルプロセッサ（ＤＳＰ）、特定用途向けＩＣ（ＡＳＩＣ）、フィールド・プログラマブル・ゲート・アレイ（ＦＰＧＡ）又は他のプログラマブル論理デバイス、個別ゲート若しくはトランジスタロジック、個別ハードウェアコンポーネント、又は、本明細書で説明された機能を実行するための、それらの任意の組み合わせで、実装又は実行されても良い。汎用プロセッサは、マイクロプロセッサでも良いが、他の方法では、プロセッサは、任意の従来のプロセッサ、コントローラ、マイクロコントローラ、又はステートマシンでも良い。また、プロセッサは、コンピュータデバイスの組み合わせ、例えば、ＤＳＰとマイクロプロセッサとの組み合わせ、複数のマイクロプロセッサ、ＤＳＰコアと連結する１又は複数のマイクロプロセッサ、又は他の任意の当該の構成として、実装されても良い。
【００６４】
本明細書で開示に関連して説明された方法又はアルゴリズムのステップは、ハードウェアに直接具体化されても良いし、プロセッサにより実行されるソフトウェアモジュールに具体化されても良いし、又は、それら二つの組み合わせに具体化されても良い。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は技術的に知られている他の形の記憶媒体に存在しても良い。例示的な記憶媒体は、例えば該記憶媒体から情報の読み取りが可能で且つ該記憶媒体へ情報の書き込みが可能であるようなプロセッサに、結合される。他の方法では、該記憶媒体は、プロセッサに集積されていても良い。該プロセッサ及び該記憶媒体は、ＡＳＩＣ中に存在していても良い。該ＡＳＩＣは、ユーザ端末中に存在していても良い。該プロセッサ及び該記憶媒体は、ユーザ端末中の独立したコンポーネントとして存在していても良い。
【００６５】
１又は複数の例示的なデザインにおいて、説明された機能は、ハードウェア、ソフトウェア、ファームウェア（firmware）、又はそれらの任意の組み合わせにより、実現されても良い。ソフトウェアにより実現される場合には、該機能は、１又は複数のインストラクション又はコードとして、コンピュータ読み取り可能な媒体上に、記憶又は伝送されても良い。コンピュータ読み取り可能な媒体は、コンピュータ記憶媒体と、一つの場所から他の場所へのコンピュータプログラムの転送を手助けする任意の媒体を含む通信媒体との両方を含む。記憶媒体は、汎用又は専用コンピュータによりアクセス可能な任意の利用可能な媒体でも良い。限定ではなく一例として、当該のコンピュータ読み取り可能な媒体は、ＲＡＭ、ＲＯＭ、ＥＥＰＲＯＭ、ＣＤ−ＲＯＭ若しくは他の光ディスクストレージ、磁気ディスクストレージ若しくは他の磁気ディスクデバイス、又は、インストラクション又はデータ構造の形の要求されたプログラムコード手段を運ぶため又は記憶するために利用可能であり且つ汎用若しくは専用コンピュータ、又は汎用若しくは専用プロセッサによりアクセス可能である任意の媒体を含むことができる。また、任意のコネクションが、適切に、コンピュータ読み取り可能な媒体と称される。例えば、ソフトウェアソフトウェアが、同軸ケーブル、光ファイバーケーブル、ツイストペア、デジタル加入者回線（ＤＳＬ）、又は、例えば赤外線、無線（radio）、及びマイクロ波のような無線技術を用いて、ウェブサイト、サーバ、又は他のリモートリソースから送信される場合に、同軸ケーブル、光ファイバーケーブル、ツイストペア、ＤＳＬ、又は、例えば赤外線、無線（radio）、及びマイクロ波のような無線技術は、媒体の定義に含まれる。本明細書で用いられるように、ディスク（Disk）及びディスク（disc）は、コンパクトディスク（compact disc）（ＣＤ）、レーザーディスク（登録商標）、光ディスク（optical disc）、デジタルバーサタイルディスク（digital versatile disc）（ＤＶＤ）、フロッピー（登録商標)ディスク及びブルーレイディスク（登録商標）（blu-ray disc）を含む。ここで、ディスク（disks）は、通例、磁気的にデータを再生（reproduce）し、一方、ディスク
（discs）は、レーザーで光学的にデータを再生する。上記の組み合わせもまた、コンピュータ読み取り可能な媒体の範囲に含まれるべきである。
【００６６】
本開示の先の説明は、当業者が本開示を製造又は使用することを可能にするために提供される。本開示に対する様々な修正が、当業者には容易に理解できよう。また、本明細書で定義される包括的な原理は、本開示の精神又は範囲を逸脱することなく、他の変形に適用されても良い。それゆえ、本開示は、本明細書に説明される例及びデザインに限定することを意図するものではなく、本明細書に開示された原理及び新規な特徴に適合する最も広い範囲が与えられるべきである。
【図１】
2010516198.tif 000006
【図２】
2010516198.tif 000007
【図３】
2010516198.tif 000008
【図４】
2010516198.tif 000009
【図５】
2010516198.tif 000010
【図６】
2010516198.tif 000011
【図７】
2010516198.tif 000012
【国際調査報告】
2010516198.tif 000013
2010516198.tif 000014
2010516198.tif 000015